(57)【特許請求の範囲】
【請求項１】
自機の給電状態から非給電状態への変化を検出する充電検出部と、
親機と無線通信を行う第１無線部と、
第１制御部と、を備える子機と、
前記子機と無線通信を行う第２無線部と、
第２制御部と、を備える前記親機と、を備え、
前記第１制御部は、前記充電検出部が、前記変化を検出したときに、前記第１無線部を介して、留守番録音機能によって録音されたメッセージである留守用件の再生を前記親機に要求し、
前記第２制御部は、前記第２無線部を介して、前記留守用件の再生要求を受信した場合、前記第２無線部を介して、前記留守用件を前記子機に送信し、
前記第１制御部は、前記第１無線部を介して、前記留守用件を受信した場合、スピーカから留守用件を再生することを特徴とする電話機。
【請求項２】
前記第１制御部は、
前記充電検出部が、前記変化を検出し、且つ、自機が待機状態であるときに、前記第１無線部を介して、前記留守用件の再生を前記親機に要求し、
前記充電検出部が、前記変化を検出し、且つ、自機が前記待機状態でないときに、前記留守用件の再生を前記親機に要求しないことを特徴とする請求項１に記載の電話機。
【請求項３】
前記第１制御部は、
充電台からの前記子機の持ち上げであるクイックによって、前記留守用件を再生する簡単再生モードの設定を受け付け、
前記簡単再生モードの設定を受け付けており、且つ、前記充電検出部が、前記変化を検出したときに、前記第１無線部を介して、前記留守用件の再生を前記親機に要求することを特徴とする請求項１に記載の電話機。
【請求項４】
前記第１制御部は、
前記クイックによって、発信動作を行うクイックオンモードの設定と、前記クイックによって、発信動作を行わないクイックオフモードの設定と、をさらに受け付け、
前記クイックオンモードの設定を受け付けており、且つ、前記充電検出部が、前記変化を検出したときに、発信動作を行い、
前記クイックオフモードの設定を受け付けており、前記充電検出部が、前記変化を検出したときに、発信動作を行わないことを特徴とする請求項３に記載の電話機。
【請求項５】
前記親機は、前記充電台を兼ねることを特徴とする請求項３又は４に記載の電話機。
【発明の詳細な説明】
【技術分野】
【０００１】
本発明は、電話機に関する。
【背景技術】
【０００２】
近年、親機と子機とが無線で通信するコードレス電話機において、スタイリッシュさ、シンプルさを訴求するために、親機には、表示部等が設けられないものがある（例えば、特許文献１参照。）。このような製品においては、ほぼすべての操作を子機から行うようになっている。また、このような製品でも、「発信」、「着信」等は、従来のコードレス電話機と同様に使用可能である。
【先行技術文献】
【特許文献】
【０００３】
【特許文献１】特開２０１２−１９９５９９号公報
【発明の概要】
【発明が解決しようとする課題】
【０００４】
ここで、留守番録音機能によって録音されたメッセージである留守用件は、親機に記憶されている。ユーザーは、留守要件を再生するためには、子機からリモート再生させる必要がある。具体的には、子機が親機や充電台に載置されている場合、ユーザーは、親機等から子機を持ち上げて、ボタン操作を数回する必要がある。このため、電話機の操作性が悪いという問題がある。なお、上記操作性を改善するため、留守番録音機能のオン又はオフを受け付けるための留守ボタンを親機に設け、留守番録音機能がオンからオフになった場合、すなわち、留守ボタンが操作された場合に、留守用件を再生するものがある。
【０００５】
本発明の目的は、ユーザーが、簡易に留守用件を再生させることができる電話機を提供することである。
【課題を解決するための手段】
【０００６】
第１の発明の電話機は、自機の給電状態から非給電状態への変化を検出する充電検出部と、親機と無線通信を行う第１無線部と、第１制御部と、を備える子機と、前記子機と無線通信を行う第２無線部と、第２制御部と、を備える前記親機と、を備え、前記第１制御部は、前記充電検出部が、前記変化を検出したときに、前記第１無線部を介して、留守番録音機能によって録音されたメッセージである留守用件の再生を前記親機に要求し、前記第２制御部は、前記第２無線部を介して、前記留守用件の再生要求を受信した場合、前記第２無線部を介して、前記留守用件を前記子機に送信し、前記第１制御部は、前記第１無線部を介して、前記留守用件を受信した場合、スピーカから留守用件を再生することを特徴とする。
【０００７】
本発明では、子機が給電状態から非給電状態に変化したとき、すなわち、子機が充電台から持ち上げられたときに、子機から親機に留守用件の再生が要求される。そして、親機から子機に留守用件が送信され、スピーカから留守用件が再生される。これにより、ユーザーは、充電台から子機を持ち上げるのみで、留守用件を再生させることができる。このように、本発明によれば、ユーザーは、簡易に留守用件を再生させることができる。
【０００８】
第２の発明の電話機は、第１の発明の電話機において、前記第１制御部は、前記充電検出部が、前記変化を検出し、且つ、自機が待機状態であるときに、前記第１無線部を介して、前記留守用件の再生を前記親機に要求し、前記充電検出部が、前記変化を検出し、且つ、自機が前記待機状態でないときに、前記留守用件の再生を前記親機に要求しないことを特徴とする。
【０００９】
例えば、子機が、外線及び内線の着信中、アラームの鳴動中の状態である等、何らかの処理を行っている場合、待機状態ではない。このような状態で、留守用件が再生されると、子機の処理が中断されるため、本発明では、子機が待機状態でないとき、子機から親機に留守用件の再生が要求されない。従って、子機が待機状態でないとき、留守用件は、再生されないため、子機の処理が中断されることがない。
【００１０】
第３の発明の電話機は、第１の発明の電話機において、前記第１制御部は、充電台からの前記子機の持ち上げであるクイックによって、前記留守用件を再生する簡単再生モードの設定を受け付け、前記簡単再生モードの設定を受け付けており、且つ、前記充電検出部が、前記変化を検出したときに、前記第１無線部を介して、前記留守用件の再生を前記親機に要求することを特徴とする。
【００１１】
本発明では、簡単再生モードの設定が受け付けられており、且つ、子機が給電状態から非給電状態に変化したときに、すなわち、子機が充電台から持ち上げられたときに、子機から親機に留守用件の再生が要求される。そして、親機から子機に留守用件が送信され、スピーカから留守用件が再生される。これにより、ユーザーは、電話機を簡易再生モードに設定すれば、充電台から子機を持ち上げるクイックのみで、留守用件を再生させることができる。
【００１２】
第４の発明の電話機は、第３の発明の電話機において、前記第１制御部は、前記クイックによって、発信動作を行うクイックオンモードの設定と、前記クイックによって、発信動作を行わないクイックオフモードの設定と、をさらに受け付け、前記クイックオンモードの設定を受け付けており、且つ、前記充電検出部が、前記変化を検出したときに、発信動作を行い、前記クイックオフモードの設定を受け付けており、前記充電検出部が、前記変化を検出したときに、発信動作を行わないことを特徴とする。
【００１３】
本発明では、クイックオンモードの設定が受け付けられており、且つ、子機が給電状態から非給電状態に変化したときに、すなわち、子機が充電台から持ち上げられたときに、発信動作が行われる。これにより、ユーザーは、電話機をクイックオンモードに設定すれば、充電台から子機を持ち上げる（クイック）のみで、発信動作を行わせることができる。
【００１４】
第５の発明の電話機は、第３又は第４の発明の電話機において、前記親機は、前記充電台を兼ねることを特徴とする。
【発明の効果】
【００２１】
本発明によれば、ユーザーは、簡易に留守用件を再生させることができる。
【図面の簡単な説明】
【００２２】
【図１】本発明の実施形態に係る電話機の外観を示す斜視図である。
【図２】本発明の実施形態に係る電話機の構成を示すブロック図である。
【図３】親機と子機との無線通信を示すシーケンス図である。
【図４】簡単再生モードの設定を受け付けている場合の子機の処理動作を示すフローチャートである。
【発明を実施するための形態】
【００２３】
以下、本発明の実施形態について説明する。図１は、本発明の実施形態に係る電話機の外観を示す斜視図である。図１に示すように、電話機１は、親機２と、子機３と、を備える。図１では、親機２に子機３が載置されている。本実施形態では、親機２は、充電台を兼ねている。親機２に子機３が載置されている場合、子機３は、親機２により充電される。なお、子機３が満充電状態である場合、子機３には、親機２から電圧が印加（給電）されるが、子機３は、充電されない。ユーザーによる親機２（充電台）からの子機３の持ち上げを、「クイック」という。
【００２４】
図２は、本発明の実施形態に係る電話機の構成を示すブロック図である。図２に示すように、親機２は、主制御部２１と、ＲＡＭ（Random Access Memory）２２と、不揮発性メモリ２３と、公衆回線制御部２４と、音声録音部２５と、無線部２６と、インジケータ２７と、を備える。
【００２５】
主制御部２１（第２制御部）は、不揮発性メモリ２３に記憶されている制御プログラムに従って、親機２を構成する各部を制御する。ＲＡＭ２２は、主制御部２１の主メモリとして機能する。不揮発性メモリ２３は、制御プログラム等を記憶している。公衆回線制御部２４は、公衆回線を制御して、電話を掛ける、電話を切る処理を行う。公衆回線制御部２４は、公衆回線に接続されている。主制御部２１は、公衆回線制御部２４を制御して、他の電話機と通話を行うことができる。
【００２６】
音声録音部２５は、音声を録音する。例えば、音声録音部２５は、留守番録音機能がオンである場合に、他の電話機から受話した音声を録音する。無線部２６（第２無線部）は、子機３と無線通信を行う。例えば、主制御部２１は、無線部２６を介して、留守番録音機能によって、音声録音部２５によって録音されたメッセージである留守用件を子機３に送信する。インジケータ２７は、留守用件の有無を点滅等で表示するＬＥＤ等である。
【００２７】
図２に示すように、子機３は、主制御部３１と、ＲＡＭ３２と、不揮発性メモリ３３と、音声再生部３４と、スピーカ３５と、無線部３６と、充電検出部３７と、を備える。
【００２８】
主制御部３１（第１制御部）は、不揮発性メモリ３３に記憶されている制御プログラムに従って、子機３を構成する各部を制御する。ＲＡＭ３２は、主制御部３１の主メモリとして機能する。不揮発性メモリ３３は、制御プログラム等を記憶している。音声再生部３４は、音声信号をスピーカ３５に出力して、音声を再生する。例えば、音声再生部３５は、親機２から送信され、後述の無線部３６を介して受信した留守用件をスピーカ３５に出力して、留守用件を再生する。スピーカ３５は、音声信号に従って、外部に音声を出力する。無線部３６（第１無線部）は、親機２と無線通信を行う。例えば、主制御部３１は、無線部３６を介して、親機２から送信される留守用件を受信する。
【００２９】
充電検出部３７は、子機３の給電状態、及び、非給電状態を検出する。親機２に子機３が載置されている場合、親機２からの電圧により、充電検出部３７は、子機３が給電状態であると判断する。言い換えれば、充電検出部３７は、親機２に子機３が載置されていると判断する。親機２に子機３が載置されていない場合、親機２からの電圧がないため、充電検出部３７は、子機３が非給電状態であると判断する。言い換えれば、充電検出部３７は、親機２に子機３が載置されていないと判断する。また、充電検出部３７は、子機３の給電状態から非給電状態への変化を検出する。親機２に子機３が載置されている状態から、親機２から子機３が持ち上げられたとき、親機２からの電圧がなくなるため、充電検出部３７は、子機３の給電（電圧印加）状態から非給電（電圧非印加）状態への変化を検出する。言い換えれば、充電検出部３７は、親機２からの子機３の持ち上げ（クイック）を検出する。
【００３０】
以下、クイックオンモード、クイックオフモード、簡単再生モードについて説明する。クイックオンモードは、クイックによって、子機３が発信を行うモードである。クイックオフモードは、クイックによって、子機３が発信を行わない（何も行わない）モードである。簡単再生モードは、クイックによって、留守用件を再生するモードである。主制御部３１は、子機３の操作ボタンを介して、クイックオンモード、クイックオフモード、簡単再生モードの設定を受け付ける。ユーザーは、子機３の操作ボタンにより、クイックオンモード、クイックオフモード、簡単再生モードの設定を行うことができる。
【００３１】
子機３の主制御部３１は、簡単再生モードの設定を受け付けており、且つ、充電検出部３７が、子機３の給電状態から非給電状態への変化を検出したときに、無線部３６を介して、留守用件の再生を親機２に要求する。具体的には、主制御部３１は、充電検出部３７が、子機３の給電状態から非給電状態への変化を検出し、且つ、子機３が待機状態であるときに、無線部３６を介して、留守用件の再生を親機２に要求する。親機２の主制御部２１は、留守用件の再生要求を受信した場合、無線部２６を介して、留守用件を子機３に送信する。子機３の主制御部３１は、無線部３６を介して、留守用件を受信した場合、音声再生部３４により、スピーカ３５から留守用件を再生する。
【００３２】
一方で、主制御部３１は、充電検出部３７が、子機３の給電状態から非給電状態への変化を検出し、且つ、子機３が待機状態でないときに、留守用件の再生を親機２に要求しない。ここで、例えば、子機３が、外線及び内線の着信中、アラームの鳴動中の状態である等、何らかの処理を行っている場合、待機状態ではない。
【００３３】
また、子機３の主制御部３１は、クイックオンモードの設定を受け付けており、且つ、充電検出部３７が、子機３の給電状態から非給電状態への変化を検出したときに、発信動作を行う。また、子機３の主制御部３１は、クイックオフモードの設定を受け付けており、且つ、充電検出部３７が、子機３の給電状態から非給電状態への変化を検出したときに、発信動作を行わない（何も行わない）。
【００３４】
簡単再生モードの設定を受け付けている場合の、親機２と子機３との無線通信を、図３に示すシーケンス図に基づいて説明する。子機３の主制御部３１は、充電検出部３７が、子機３の給電状態から非給電状態への変化、すなわち、親機２からの子機３の持ち上げ（クイック）を検出すると（１）、無線部３６を介して、留守用件の再生を親機２に要求する（２）。親機２の主制御部２１は、無線部２６を介して、留守用件の再生要求を受信すると、無線部２６を介して、留守用件の再生ＯＫを子機３に送信（応答）する（３）。子機３の主制御部３１は、無線部３６を介して、留守用件の再生ＯＫを受信すると、留守用件の再生準備を開始する（４）。
【００３５】
次に、親機２の主制御部２１は、無線部２６を介して、留守用件の送信を開始する（５）。子機３の主制御部３１は、無線部３６を介して、留守用件を受信すると、音声再生部３４により、スピーカ３５から留守用件の再生を開始する（６）。親機２の主制御部２１は、無線部２６を介して、全ての留守要件を子機３に送信すると、留守用件の再生終了を子機３に通知する（７）。子機３の主制御部３１は、無線部３６を介して、再生終了通知を受信すると、留守用件の再生を終了する（８）。
【００３６】
簡単再生モードの設定を受け付けている場合の子機３の処理動作を、図４に示すフローチャートに基づいて説明する。主制御部３１は、充電検出部３７が、子機３の給電状態から非給電状態への変化を検出したか否かを判断する（Ｓ１）。主制御部３１は、充電検出部３７が、子機３の給電状態から非給電状態への変化を検出した場合（Ｓ１：Ｙｅｓ）、子機３が待機状態であるか否かを判断する（Ｓ２）。主制御部３１は、子機３が待機状態であると判断した場合（Ｓ３：Ｙｅｓ）、無線部３６を介して、留守用件の再生を親機２に要求する（Ｓ３）。次に、主制御部３１は、無線部３６を介して、留守用件の再生ＯＫを受信したか否かを判断する（Ｓ４）。言い換えれば、主制御部３１は、親機２から留守用件の再生ＯＫの応答があったか否かを判断する。主制御部３１は、留守用件の再生ＯＫを受信したと判断した場合（Ｓ４：Ｙｅｓ）、留守用件の再生準備を開始する（Ｓ５）。
【００３７】
次に、主制御部３１は、無線部３６を介して、親機２から送信された留守用件を受信したか否かを判断する（Ｓ６）。主制御部３１は、親機２から送信された留守用件を受信していないと判断している間は（Ｓ６：Ｎｏ）、Ｓ６の判断を実行する。主制御部３１は、親機２から送信された留守用件を受信したと判断した場合（Ｓ６：Ｙｅｓ）、音声再生部３４により、留守用件の再生を開始する（Ｓ７）。次に、主制御部３１は、無線部３６を介して、親機２から留守用件の終了通知を受信したか否かを判断する（Ｓ８）。主制御部３１は、親機２から留守用件の終了通知を受信していないと判断している間は（Ｓ８：Ｎｏ）、音声再生部３４により、留守用件の再生をし続ける。主制御部３１は、親機２から留守用件の終了通知を受信したと判断した場合（Ｓ８：Ｙｅｓ）、留守用件の再生を終了する（Ｓ９）。
【００３８】
主制御部３１は、充電検出部３７が、子機３の給電状態から非給電状態への変化を検出していないと判断した場合（Ｓ１：Ｎｏ）、子機３が待機状態でないと判断した場合（Ｓ２：Ｎｏ）、又は、親機２から留守用件の再生ＯＫを受信しなかったと判断した場合（Ｓ４：Ｎｏ）、処理を終了する。従って、子機３から親機２に留守用件の再生が要求されないため、留守用件は、再生されない。
【００３９】
以上説明したように、本実施形態では、子機３が給電状態から非給電状態に変化したとき、すなわち、子機３が親機２から持ち上げられたときに、子機３から親機２に留守用件の再生が要求される。そして、親機２から子機３に留守用件が送信され、子機３のスピーカ３５から留守用件が再生される。これにより、ユーザーは、親機２から子機３を持ち上げる（クイック）のみで、留守用件を再生させることができる。このように、本実施形態によれば、ユーザーは、簡易に留守用件を再生させることができる。
【００４０】
また、例えば、子機３が、外線及び内線の着信中、アラームの鳴動中の状態である等、何らかの処理を行っている場合、待機状態ではない。このような状態で、留守用件が再生されると、子機３の処理が中断されるため、本実施形態では、子機３が待機状態でないとき、子機３から親機２に留守用件の再生が要求されない。従って、子機３が待機状態でないとき、留守用件は、再生されないため、子機３の処理が中断されることがない。
【００４１】
また、本実施形態では、簡単再生モードの設定が受け付けられており、且つ、子機３が給電状態から非給電状態に変化したときに、すなわち、子機３が親機２から持ち上げられたときに、子機３から親機２に留守用件の再生が要求される。そして、親機２から子機３に留守用件が送信され、子機３のスピーカ３５から留守用件が再生される。これにより、ユーザーは、電話機１を簡易再生モードに設定すれば、親機２から子機３を持ち上げるクイックのみで、留守用件を再生させることができる。
【００４２】
また、本実施形態では、クイックオンモードの設定が受け付けられており、且つ、子機３が給電状態から非給電状態に変化したときに、すなわち、子機３が親機２から持ち上げられたときに、発信動作が行われる。これにより、ユーザーは、電話機１をクイックオンモードに設定すれば、親機２から子機３を持ち上げる（クイック）のみで、発信動作を行わせることができる。
【００４３】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４４】
上述の実施形態においては、親機２は、充電台を兼ねている。これに限らず、親機２が充電台を兼ねず、親機２と充電台が別であってもよい。
【００４５】
（変形例１）
上述の実施形態においては、電話機１は、親機２と、子機３と、を備える、いわゆる固定型の電話機であった。これに限らず、携帯型の電話機（以下、「携帯電話」という。）であってもよい。変形例１に係る携帯電話は、充電検出部と、無線部と、主制御部と、を備える。充電検出部は、自機の給電状態から非給電状態への変化を検出する。例えば、充電ケーブルに接続された携帯電話が、充電ケーブルから抜かれたときに、充電検出部は、給電状態から非給電状態への変化を検出する。
【００４６】
無線部は、無線通信を行う。主制御部（制御部）は、充電検出部が、給電状態から非給電状態への変化を検出したときに、無線部を介して、留守番電話センターに発信し、留守番録音機能によって録音されたメッセージである留守用件を再生する。従って、携帯電話が給電状態から非給電状態に変化したとき、すなわち、例えば、携帯電話が充電ケーブルから抜かれたときに、留守番電話センターに発信され、留守用件が再生される。これにより、ユーザーは、充電ケーブルから携帯電話を引き抜くのみで、留守用件を再生させることができる。このように、本変形例によれば、ユーザーは、簡易に留守用件を再生させることができる。
【００４７】
（変形例２）
変形例２に係る携帯電話は、充電検出部と、無線部と、表示部と、主制御部と、を備える。充電検出部は、自機の給電状態から非給電状態への変化を検出する。例えば、充電ケーブルに接続された携帯電話が、充電ケーブルから抜かれたときに、充電検出部は、給電状態から非給電状態への変化を検出する。
【００４８】
無線部は、無線通信を行う。主制御部（制御部）は、無線部を介して、留守番電話センターから、留守用件をダウンロードする。また、主制御部は、充電検出部が、給電状態から非給電状態への変化を検出したときに、留守用件を再生するための再生画面を表示部に表示させる。例えば、主制御部は、留守用件を示す情報（例えば、留守用件を録音したユーザーの氏名、電話番号等）をリスト形式で表示する。そして、主制御部は、留守用件を示す情報が選択された留守用件を再生する。従って、携帯電話が給電状態から非給電状態に変化したとき、すなわち、例えば、携帯電話が充電ケーブルから抜かれたときに、留守番電話センターからダウンロードされた、留守用件を再生するための再生画面が表示され、留守用件が再生される。これにより、ユーザーは、充電ケーブルから携帯電話を引き抜くのみで、留守用件を再生させることができる。このように、本発明によれば、ユーザーは、簡易に留守用件を再生させることができる。
【００４９】
（変形例３）
変形例３に係る携帯電話は、充電検出部と、無線部と、表示部と、主制御部と、を備える。充電検出部は、自機の給電状態から非給電状態への変化を検出する。例えば、充電ケーブルに接続された携帯電話が、充電ケーブルから抜かれたときに、充電検出部は、給電状態から非給電状態への変化を検出する。
【００５０】
無線部は、無線通信を行う。主制御部（制御部）は、無線部を介して、留守番電話センターから、留守用件が添付ファイルとして添付された電子メールをダウンロードする。また、主制御部は、充電検出部が、給電状態から非給電状態への変化を検出したときに、留守用件が添付ファイルとして添付された電子メールを表示する表示画面を表示部に表示させ、留守用件を再生する。従って、携帯電話が給電状態から非給電状態に変化したとき、すなわち、例えば、携帯電話が充電ケーブルから抜かれたときに、留守番電話センターからダウンロードされた、留守用件が添付ファイルとして添付された電子メールを表示する表示画面が表示され、留守用件が再生される。これにより、ユーザーは、充電ケーブルから携帯電話を引き抜くのみで、留守用件を再生させることができる。このように、本発明によれば、ユーザーは、簡易に留守用件を再生させることができる。なお、セキュリティ確保のため、主制御部は、留守用件の再生前に、留守用件を再生するか否かを確認するための確認画面を表示し、ユーザーの確認があった場合に、留守用件を再生するようになっている方がよい。
【産業上の利用可能性】
【００５１】
本発明は、電話機に好適に採用され得る。
【符号の説明】
【００５２】
１  電話機
２  親機
２１  主制御部（第２制御部）
２６  無線部（第２無線部）
３  子機
３１  主制御部（第１制御部）
３５  スピーカ
３６  無線部（第１無線部）
３７  充電検出部
【図１】
0006330793.tif 000002
【図２】
0006330793.tif 000003
【図３】
0006330793.tif 000004
【図４】
0006330793.tif 000005